(57)【要約】【課題】工具を使用することなく簡単に連結ができる機器収納用ラックの連結金具を提供する。【解決手段】連結金具１は、コ字状部２ａの一方端に一方のポスト７の係止孔７ａに係止する鉤部２ｂを形成し、他方端に他方のポスト８の係止孔８ａと対向する透孔２ｃを穿設し、コ字状部２ａの端部に案内部２ｄを延設した本体金具２と、本体金具２の案内部２ｄの端部に回動可能に設けたレバー金具３と、レバー金具３の回動動作に連動してリンク板４を介して本体金具２の案内部２ｄに沿ってスライドすることで舌片部５ａが本体金具２の透孔２ｃと他方の機器収納用ラックの係止孔８ａに挿入し、且つ、腕部５ｂがポスト８を押圧して本体金具２とで２本のポスト７，８を挟持するスライド金具５と、スライド金具５が本体金具２の透孔２ｃと他方の機器収納用ラックの係止孔８ａに挿入した状態でレバー金具３の回動をロックするロック金具１２とで構成する。【選択図】        図１
2004296698.tif 000002
【特許請求の範囲】
【請求項１】
隣接した２つの機器収納用ラックの双方のポストに嵌まるコ字状部の一方端に一方の機器収納用ラックのポストに穿設した係止孔に係止する鉤部が形成され、他方端に他方の機器収納用ラックのポストに穿設した係止孔と対向する透孔が穿設され、該透孔を有する側の前記コ字状部の端部に案内部が前記透孔の開口方向に延設された本体金具と、該本体金具の案内部の端部に回動可能に設けられるレバー金具と、該レバー金具の回動動作に連動してリンク板を介して前記本体金具の案内部に沿ってスライドし、前記本体金具の透孔と前記他方の機器収納用ラックの係止孔に挿抜され、且つ前記ポストを押圧して前記本体金具とで前記２本のポストを挟持するスライド金具と、該スライド金具が前記本体金具の透孔と前記他方の機器収納用ラックの係止孔に挿入した状態で前記レバー金具の回動をロックするロック金具とで構成したことを特徴とする機器収納用ラックの連結金具。
【発明の詳細な説明】
【０００１】
【発明の属する技術分野】
本発明は、通信機器等を収納する機器収納用ラック同士をポストで連結するための連結金具に関する。
【０００２】
【従来の技術】
一般に機器収納用ラック同士を連結する場合には連結金具が用いられている。連結金具はクランク状に折曲形成した２つの板状部材で成り、一方の端部に機器収納用ラックのポストに固定するためのネジが挿通するネジ挿通孔が穿設され、他方の端部に連結金具同士を固定するためのボルトが挿通するボルト挿通孔が穿設されている。機器収納用ラックの連結は、この連結金具を隣接した２つの機器収納用ラックのポストに夫々螺着固定し、両方の連結金具にボルトを挿通させてナットで締め付け固定することにより行っていた（例えば、非特許文献１参照。）。
【０００３】
【非特許文献１】
“カワムラ  ラックカタログ  Ｎｏ．７  改訂版”、河村電器産業株式会社、２００２年５月１０日、ｐ．１２７−１３０
【０００４】
【発明が解決しようとする課題】
しかしながら、従来の連結金具では機器収納用ラックの内部に機器を収納した状態でネジの締め付けに必要なスペースを確保するのが困難であり、ネジやボルトの締め付けに時間がかかり、また、ネジやボルトやナットを紛失することもあるので作業性が悪く、ドライバーやレンチ等の工具を用意しなければならないので手間が掛かっていた。
【０００５】
そこで上記問題点に鑑み、本発明の目的は、工具を使用することなく簡単に連結ができる機器収納用ラックの連結金具を提供することである。
【０００６】
【課題を解決するための手段】
上記目的を達成するために、隣接した２つの機器収納用ラックの双方のポストに嵌まるコ字状部の一方端に一方の機器収納用ラックのポストに穿設した係止孔に係止する鉤部が形成され、他方端に他方の機器収納用ラックのポストに穿設した係止孔と対向する透孔が穿設され、透孔を有する側のコ字状部の端部に案内部が透孔の開口方向に延設された本体金具と、本体金具の案内部の端部に回動可能に設けられるレバー金具と、レバー金具の回動動作に連動してリンク板を介して本体金具の案内部に沿ってスライドし、本体金具の透孔と他方の機器収納用ラックの係止孔に挿抜され、且つポストを押圧して本体金具とで２本のポストを挟持するスライド金具と、スライド金具が本体金具の透孔と他方の機器収納用ラックの係止孔に挿入した状態でレバー金具の回動をロックするロック金具とで構成したことを特徴とする。
【０００７】
【発明の実施の形態】
連結金具は、隣接した２つの機器収納用ラックの双方のポストに嵌まるコ字状部の一方端に一方の機器収納用ラックのポストに穿設した係止孔に係止する鉤部が形成され、他方端に他方の機器収納用ラックのポストに穿設した係止孔と対向する透孔が穿設され、透孔を有する側のコ字状部の端部に案内部が透孔の開口方向に延設された本体金具と、本体金具の案内部の端部に回動可能に設けられるレバー金具と、レバー金具の回動動作に連動してリンク板を介して本体金具の案内部に沿ってスライドし、本体金具の透孔と他方の機器収納用ラックの係止孔に挿抜され、且つポストを押圧して本体金具とで２本のポストを挟持するスライド金具と、スライド金具が本体金具の透孔と他方の機器収納用ラックの係止孔に挿入した状態でレバー金具の回動をロックするロック金具とで構成する。
【０００８】
【実施例】
本発明に係る機器収納用ラックの連結金具の実施例を図１〜図４の添付図面に基づいて説明する。
【０００９】
図示しないが通信機器等を収納するための機器収納用ラックは天板と底板とを４本のポストによって連結した構造に成っている。
【００１０】
この機器収納用ラックを並設した際に機器収納用ラック同士を連結するために用いられる連結金具１は、本体金具２と、レバー金具３と、リンク板４と、スライド金具５と、ロック金具６とで構成している。
【００１１】
本体金具２は、隣接した２つの機器収納用ラックの双方のポスト７，８に嵌まるように板状部材を略コ字状に折曲形成したコ字状部２ａの一方端に一方の機器収納用ラックのポスト７に穿設した係止孔７ａに係止する鉤部２ｂが形成され、他方端に他方の機器収納用ラックのポスト８に穿設した係止孔８ａと対向する透孔２ｃが穿設され、透孔２ｃを有する側のコ字状部２ａの端部に案内部２ｄが透孔２ｃの開口方向に向けて延設されている。
【００１２】
レバー金具３は本体金具２の案内部２ｄの端部にリベット９等で取り付けられて水平方向に回動可能に設けられている。リンク板４は一端がレバー金具３に、他端がスライド金具５の端部にリベット１０，１１等で取り付けられ、スライド金具５は本体金具２の案内部２ｄに沿ってスライドし、舌片部５ａが本体金具２の透孔２ｃと他方の機器収納用ラック８の係止孔８ａに挿抜されるように配置されている。また、舌片部５ａの上下に張設された腕部５ｂはポスト８を押圧するようになっている。
【００１３】
ロック金具６は、先端部に係止溝６ａが形成されて成り、本体金具２のコ字状部２ａの略中央にリベット１２等で取り付けられ、垂直方向に回動可能に設けられている。
【００１４】
次に、連結金具１の使用方法について説明する。まず、隣接して設置された機器収納用ラックの双方のポスト７，８に本体金具２のコ字状部２ａを嵌め込み、そして鉤部２ｂを一方の機器収納用ラックの係止孔７ａに係止させる。
【００１５】
それから、レバー金具３を図１の矢印Ａ方向に回動させるとリンク板４を介してスライド金具５が連動し、本体金具２の案内部２ｄに沿って矢印Ｂ方向にスライドして舌片部５ａが本体金具２の透孔２ｃと他方の機器収納用ラックの係止孔８ａに挿入する。同時にスライド金具５の腕部５ｂは他方の機器収納用ラックのポスト８を押圧し、本体金具２の鉤部２ｂが設けられた片と対になって２つのポスト７，８を挟持する。
【００１６】
この状態でロック金具６を図４の矢印Ｃ方向に回動させ、レバー金具３の先端部から外側方向に折曲形成した把手片３ａにロック金具６の係止溝６ａを上側から嵌め込むことにより、レバー金具３は回動できないようにロックされる。
【００１７】
以上の手順でポストの数カ所を連結金具で連結することにより、機器収納用ラックを連結することができる。
【００１８】
【発明の効果】
以上説明したように隣接した２つの機器収納用ラックの双方のポストに嵌まるコ字状部の一方端に一方の機器収納用ラックのポストに穿設した係止孔に係止する鉤部が形成され、他方端に他方の機器収納用ラックのポストに穿設した係止孔と対向する透孔が穿設され、透孔を有する側のコ字状部の端部に案内部が透孔の開口方向に延設された本体金具と、本体金具の案内部の端部に回動可能に設けられるレバー金具と、レバー金具の回動動作に連動してリンク板を介して本体金具の案内部に沿ってスライドし、本体金具の透孔と他方の機器収納用ラックの係止孔に挿抜され、且つポストを押圧して本体金具とで２本のポストを挟持するスライド金具と、スライド金具が本体金具の透孔と他方の機器収納用ラックの係止孔に挿入した状態でレバー金具の回動をロックするロック金具とで構成したことにより、工具を使用することなく簡単に連結ができるという効果がある。
【図面の簡単な説明】
【図１】本発明に係る機器収納用ラックのポストに連結金具を取り付ける様子を示す平面図である。
【図２】図１の正面図である。
【図３】本発明に係る機器収納用ラックのポストを連結金具で連結した状態を示す平面図である。
【図４】図３の正面図である。
【符号の説明】
１…連結金具
２…本体金具
２ａ…コ字状部
２ｂ…鉤部
２ｃ…透孔
２ｄ…案内部
３…レバー金具
３ａ…把手片
４…リンク板
５…スライド金具
５ａ…舌片部
５ｂ…腕部
６…ロック金具
６ａ…係止溝
７，８…ポスト
７ａ，８ａ…係止孔
【図１】
2004296698.tif 000003
【図２】
2004296698.tif 000004
【図３】
2004296698.tif 000005
【図４】
2004296698.tif 000006